(57)【要約】      （修正有）【課題】上蓋と下蓋とが枢着されることにより、体積が小さくなり、携帯及び収納が便利になる折り畳み式マニキュア光硬化装置を提供する。【解決手段】折り畳み式マニキュア光硬化装置は、上蓋１０と、下蓋２０と、２つの発光ダイオードモジュールと、制御モジュールと、を備える。下蓋の一端は上蓋の一端に枢着され、２つの発光ダイオードモジュールは上蓋及び下蓋にそれぞれ設置される。制御モジュールは上蓋に設置され、少なくとも１つのボタンと、バッテリーと、少なくとも１つのボタン及びバッテリーに電気的に接続される回路基板とを含む。回路基板は２つの発光ダイオードモジュールに電気的に接続される。上蓋の内側面と下蓋の内側面には複数の孔部１４、２４が開設され、内側面は互いに隣接し、発光ダイオードモジュールは基板及び複数の発光ダイオードをそれぞれ備え、孔部と発光ダイオードとは数量及び位置が相互に対応する。【選択図】図１
0003222068.tif 000002
【実用新案登録請求の範囲】
【請求項１】
上蓋と、
一端が前記上蓋の一端に枢着される下蓋と、
前記上蓋及び前記下蓋にそれぞれ設置される２つの発光ダイオードモジュールと、
前記上蓋に設置され、少なくとも１つのボタンと、バッテリーと、前記少なくとも１つのボタン及び前記バッテリーに電気的に接続される回路基板とを含む制御モジュールと、を備え、
前記回路基板は前記２つの発光ダイオードモジュールに電気的に接続されることを特徴とする折り畳み式マニキュア光硬化装置。
【請求項２】
少なくとも１つのピボットを更に備え、前記上蓋は貫通孔を有し、前記下蓋は第一ピボット穴及び第二ピボット穴を有し、前記少なくとも１つのピボットは前記貫通孔に貫設されると共に両端が前記第一ピボット穴及び前記第二ピボット穴にそれぞれ枢設されることを特徴とする請求項１に記載の折り畳み式マニキュア光硬化装置。
【請求項３】
２つのピボットを更に備え、前記上蓋は貫通孔を有し、前記下蓋は第一ピボット穴及び第二ピボット穴を有し、一方の前記ピボットの両端は前記貫通孔の一端及び前記第一ピボット穴にそれぞれ設けられ、他方の前記ピボットの両端は前記貫通孔の他端及び前記第二ピボット穴にそれぞれ設けられることを特徴とする請求項１に記載の折り畳み式マニキュア光硬化装置。
【請求項４】
バッテリーボックス蓋を更に備え、前記上蓋はバッテリーボックスを有し、前記バッテリーは前記バッテリーボックス中に取り外し可能に設置され、前記バッテリーボックス蓋は前記バッテリーボックスの開口部に取り外し可能に設置されるように前記バッテリーボックスに蓋をすることを特徴とする請求項１に記載の折り畳み式マニキュア光硬化装置。
【請求項５】
前記制御モジュールは、前記回路基板に設置されると共に前記発光ダイオードが発する紫外光の強度及び波長の調整に用いられるパルス幅変調装置を更に備えることを特徴とする請求項１に記載の折り畳み式マニキュア光硬化装置。
【請求項６】
前記上蓋の内側面と前記下蓋の内側面には複数の孔部が開設され、前記上蓋の前記内側面と前記下蓋の前記内側面とは互いに隣接し、前記２つの発光ダイオードモジュールは基板及び複数の発光ダイオードをそれぞれ備え、前記発光ダイオードは前記基板の一側に設置され、前記孔部と前記発光ダイオードとは数量及び位置が相互に対応し、前記孔部は前記発光ダイオードが発する紫外光を通過させるために用いられることを特徴とする請求項１に記載の折り畳み式マニキュア光硬化装置。
【請求項７】
前記制御モジュールは前記回路基板に設置されると共に前記上蓋の外に露出されるＵＳＢポートを更に備えることを特徴とする請求項１に記載の折り畳み式マニキュア光硬化装置。
【請求項８】
前記上蓋に設置されると共に前記制御モジュールに電気的に接続され、カウンター数、前記発光ダイオードが発する紫外光の強度及び／又は波長の表示に用いられる表示パネルを更に備えることを特徴とする請求項１に記載の折り畳み式マニキュア光硬化装置。 
【考案の詳細な説明】
【技術分野】
【０００１】
本考案は、マニキュア光硬化装置に関し、更に詳しくは、折り畳み可能であり、携帯に便利なマニキュア光硬化装置に関する。
【背景技術】
【０００２】
マニキュア光硬化装置は紫外光（UV）の発光ダイオード（LED）光源を有し、手の指の爪または足の指の爪に塗布されるＵＶ液体ゲルを照射させることで高速に硬化させる装置である。
【０００３】
時代の発展及び進歩に伴って人々の生活水準が向上し続け、多くの人が手の指の爪や足の指の爪に装飾を施して美しく見せるようになっている。爪に塗られる様々な顔料、接着剤、或いは爪に貼られる様々な装飾品により爪に様々なパターン、デザイン、きらびやかな色彩等を表現している。
【０００４】
爪に顔料や接着剤が塗られた後、顔料や接着剤がすぐに乾燥硬化するように、一般的にはマニキュア光硬化装置を用いて高速乾燥硬化を行っている。
【考案の概要】
【考案が解決しようとする課題】
【０００５】
しかしながら、従来のマニキュア光硬化装置は使用者の手や足を装置中に進入させて照射するため、通常は開口部を有するチャンバ構造を呈する。然しながら、この構造では従来のマニキュア光硬化装置の体積較が大きくなり、携帯及び収納が難しくなるという欠点が存在し、その改善が必要であった。
そこで、本考案者は上記の欠点が改善可能と考え、鋭意検討を重ねた結果、合理的設計で上記の課題を効果的に改善する本考案の提案に至った。
かかる従来の実情に鑑みて、本考案は、体積が小さく、携帯及び収納に便利な折り畳み式マニキュア光硬化装置を提供することを目的とする。
【０００６】
本考案の他の目的は、構造が簡単で、高速に折り畳み収納及び立体形態に展開可能な折り畳み式マニキュア光硬化装置を提供する。
【課題を解決するための手段】
【０００７】
上記課題を解決するために、本考案のある態様の折り畳み式マニキュア光硬化装置は、
上蓋と、
一端が前記上蓋の一端に枢着される下蓋と、
前記上蓋及び前記下蓋にそれぞれ設置される２つの発光ダイオードモジュールと、
前記上蓋に設置され、少なくとも１つのボタンと、バッテリーと、前記少なくとも１つのボタン及び前記バッテリーに電気的に接続される回路基板とを含む制御モジュールと、を備え、
前記回路基板は前記２つの発光ダイオードモジュールに電気的に接続される。
【０００８】
本考案の好適例において、折り畳み式マニキュア光硬化装置は少なくとも１つのピボットを更に備える。上蓋は貫通孔を有し、下蓋は第一ピボット穴及び第二ピボット穴を有する。少なくとも１つのピボットが貫通孔に貫設されると共に両端が第一ピボット穴及び第二ピボット穴にそれぞれ枢設される。
【０００９】
本考案の好適例において、折り畳み式マニキュア光硬化装置は２つのピボットを更に備える。上蓋は貫通孔を有し、下蓋は第一ピボット穴及び第二ピボット穴を有する。一方のピボットの両端は貫通孔の一端及び第一ピボット穴にそれぞれ設けられ、他方のピボットの両端は貫通孔の他端及び第二ピボット穴にそれぞれ設けられる。
【００１０】
本考案の好適例において、折り畳み式マニキュア光硬化装置はバッテリーボックス蓋を更に備える。上蓋はバッテリーボックスを有し、バッテリーはバッテリーボックス中に取り外し可能に設置される。バッテリーボックス蓋はバッテリーボックスの開口部に取り外し可能に設置されるようにバッテリーボックスに蓋をする。
【００１１】
本考案の好適例において、制御モジュールは、回路基板に設置されると共に前記発光ダイオードが発する紫外光の強度及び波長の調整に用いられるパルス幅変調装置を更に備える。
【００１２】
本考案の好適例において、上蓋の内側面と下蓋の内側面には複数の孔部が開設され、上蓋の内側面と下蓋の内側面とは互いに隣接する。２つの発光ダイオードモジュールは基板及び複数の発光ダイオードをそれぞれ備え、前記発光ダイオードは基板の一側に設置される。前記孔部と前記発光ダイオードとは数量及び位置が相互に対応し、前記孔部は前記発光ダイオードの光線を通過させるために用いられる。
【００１３】
本考案の好適例において、制御モジュールは回路基板に設置されると共に上蓋の外に露出されるＵＳＢポートを更に備える。
【００１４】
本考案の好適例において、折り畳み式マニキュア光硬化装置は、上蓋に設置されると共に制御モジュールに電気的に接続される表示パネルを更に備える。前記表示パネルはカウンター数、前記発光ダイオードが発する紫外光の強度及び／又は波長の表示に用いられる。
【考案の効果】
【００１５】
上蓋と下蓋とが枢着されることにより、本考案の折り畳み式マニキュア光硬化装置の構造が簡単になり、高速な展開及び折り畳み機能が達成される。
【００１６】
また、折り畳み機能により、本考案の折り畳み式マニキュア光硬化装置の体積が小さくなり、携帯及び収納を便利にする目的を達成させる。
【図面の簡単な説明】
【００１７】
【図１】本考案の第１実施形態に係る折り畳み式マニキュア光硬化装置を示す外観斜視図である。
【図２】本考案の第１実施形態に係る折り畳み式マニキュア光硬化装置を示す斜視の折り畳み図である。
【図３】本考案の第１実施形態に係る折り畳み式マニキュア光硬化装置を示す斜視の展開図である。
【図４】本考案の第１実施形態に係る折り畳み式マニキュア光硬化装置を他の角度から見た斜視の展開図である。
【図５】本考案の第１実施形態に係る折り畳み式マニキュア光硬化装置を示す発光の概略図である。
【図６】本考案の第１実施形態に係る折り畳み式マニキュア光硬化装置を示す使用の概略図である。
【図７】本考案の第１実施形態に係る折り畳み式マニキュア光硬化装置を示す使用の概略図である。
【図８】本考案の第２実施形態に係る折り畳み式マニキュア光硬化装置を示す斜視の展開図である。
【考案を実施するための形態】
【００１８】
以下に図面を参照して、本考案を実施するための形態について、詳細に説明する。なお、本考案は、以下に説明する実施形態に限定されるものではない。
【００１９】
本考案の第１実施形態の構成を図１から図７に示す。
【００２０】
まず、図１は本考案の第１実施形態に係る折り畳み式マニキュア光硬化装置を示す外観斜視図であり、図２は本考案の第１実施形態に係る折り畳み式マニキュア光硬化装置を示す斜視の折り畳み図であるり、図３は本考案の第１実施形態に係る折り畳み式マニキュア光硬化装置を示す斜視の展開図である。
【００２１】
本考案の折り畳み式マニキュア光硬化装置は、上蓋１０と、下蓋２０と、２つの発光ダイオードモジュール３０と、制御モジュール４０と、を備える（図１乃至図３参照）。以下では各部材の細部について説明する。
【００２２】
上蓋１０の内側面１３には複数の孔部１４が開設され、下蓋２０の内側面２３には複数の孔部２４が開設される。上蓋１０の一端は下蓋２０の一端に枢着され、上蓋１０及び下蓋２０が互いに枢動して折り畳まれ、上蓋１０の内側面１３と下蓋２０の内側面２３とが互いに隣接する。折り畳まれると、上蓋１０の内側面１３と下蓋２０の内側面２３とが相互に当接する。展開されると、上蓋１０の内側面１３と下蓋２０の内側面２３とが相互に離間する。
【００２３】
図４は本考案の第１実施形態に係る折り畳み式マニキュア光硬化装置を他の角度から見た斜視の展開図である。図４に示されるように、具体的には、本実施形態では、折り畳み式マニキュア光硬化装置は２つのピボット５０、５１を更に備える。上蓋１０は貫通孔１２を有し、下蓋２０は第一ピボット穴２１及び第二ピボット穴２２を有する。一方のピボット５０の両端が貫通孔１２の一端及び下蓋２０の第一ピボット穴２１にそれぞれ設けられ、他方のピボット５１の両端が貫通孔１２の他端及び下蓋２０の第二ピボット穴２２にそれぞれ設けられる。これにより、上蓋１０及び下蓋２０が２つのピボット５０、５１を介して互いに枢動して折り畳まれる。
【００２４】
然しながら、ピボットの数量に制限はなく、折り畳み式マニキュア光硬化装置は長さの長いピボットのみを備えてもよい。長さの長いピボットが上蓋１０の貫通孔１２を貫通させることにより、ピボットの両端が下蓋２０の第一ピボット穴２１及び第二ピボット穴２２にそれぞれ内設され、上蓋１０と下蓋２０とが枢動及び折り畳み機能を有する。
【００２５】
各発光ダイオードモジュール３０は基板３１及び複数の発光ダイオード３２を備える。複数の発光ダイオード３２は基板３１の一側に設置される。本実施形態では、２つの発光ダイオードモジュール３０が上蓋１０及び下蓋２０にそれぞれ内設され、上蓋１０の複数の孔部１４の数量及び位置は複数の発光ダイオード３２の数量及び位置に対応する。下蓋２０の複数の孔部２４の数量及び位置は複数の発光ダイオード３２の数量及び位置に対応する。上蓋１０の複数の孔部１４及び下蓋２０の複数の孔部２４は前記発光ダイオード３２が発する紫外光を通過させるために用いられる。
【００２６】
制御モジュール４０は上蓋１０に設置され、回路基板４１と、少なくとも１つのボタン４２と、バッテリー４３と、を備える。回路基板４１は少なくとも１つのボタン４２及びバッテリー４３に電気的に接続され、ボタン４２は上蓋１０の外に露出される。回路基板４１は２つの発光ダイオードモジュール３０に電気的に接続される。使用者がボタン４２を押すと、本考案の折り畳み式マニキュア光硬化装置が起動し、バッテリー４３が２つの発光ダイオードモジュール３０に対して給電を行い、前記発光ダイオード３２が紫外光を発する。
【００２７】
図５は本考案の第１実施形態に係る折り畳み式マニキュア光硬化装置を示す発光の概略図であり、図６は本考案の第１実施形態に係る折り畳み式マニキュア光硬化装置を示す使用の概略図である。図に示されるように、使用時には、まず上蓋１０及び下蓋２０が一定の角度で展開され、本考案の折り畳み式マニキュア光硬化装置が平面に設置され、上蓋１０及び下蓋２０が平面との間に照射空間を有する。この際、手または足を空間中に進入させてからボタン４２を押すと、バッテリー４３が上蓋１０及び下蓋２０に内設される２つの発光ダイオードモジュール３０に対して給電を行い、前記発光ダイオード３２が手の指の爪や足の指の爪に対して紫外光を照射させ、手の指の爪や足の指の爪に塗られたＵＶ液体ゲルを高速に硬化させる。
【００２８】
本実施形態では、折り畳み式マニキュア光硬化装置は、上蓋１０に設置されると共に制御モジュール４０に電気的に接続される表示パネル６０を更に備える。前記表示パネル６０は、カウンター数６１、前記発光ダイオード３２が発する紫外光の強度６２及び／又は波長６３の表示に用いられる。
【００２９】
本実施形態では、制御モジュール４０は、回路基板４１に設置されると共に前記発光ダイオード３２が発する紫外光の強度６２及び波長６３の調整に用いられるパルス幅変調装置（図示せず）を更に備える。強度６２及び波長６３は表示パネル６０にそれぞれ表示される。
【００３０】
好ましくは、前記発光ダイオード３２が発する紫外光の強度６２は５０％、１００％、または２００％である。使用者がボタン４２を押した回数によって異なる強度６２が選択され、発光ダイオード３２の紫外光光源が手の指の爪や足の指の爪上のＵＶ液体ゲルを照射する際の焼け付く感覚が軽減される。
【００３１】
具体的には、使用者がボタン４２を１回押すと、前記発光ダイオード３２が発する紫外光の強度６２が５０％となる。ボタン４２を２回押すと、前記発光ダイオード３２が発する紫外光の強度６２が１００％となる。ボタン４２を３回押すと、前記発光ダイオード３２が発する紫外光の強度６２が２００％となる。然しながら、前記発光ダイオード３２が発する紫外光の強度６２及びその設定方式には制限はなく、需要に応じて変更可能であり、ボタン４２の押す回数を増やす、ボタン４２の数量を増やす等も可能である。
【００３２】
他の実施形態では、波長６３は３６０ｎｍ乃至４６０ｎｍの間の範囲である。使用者がボタン４２を押すと、ボタン４２が押された回数に応じて異なる波長６３が選択され、発光ダイオードモジュール３０の紫外光光源が手の指の爪または足の指の爪に塗られたＵＶ液体ゲルを乾燥硬化させる。
【００３３】
具体的には、本実施形態では、前記発光ダイオード３２が発する光線波長６３は３６５ｎｍ、３８０ｎｍ、４０５ｎｍに分けられる。使用者がボタン４２を１回押すと、前記発光ダイオード３２が照射する紫外光の波長６３が３６５ｎｍとなる。ボタン４２を２回押すと、前記発光ダイオード３２が照射する紫外光波長６３が３８０ｎｍとなる。ボタン４２を３回押すと、前記発光ダイオード３２が照射する紫外光波長６３が４０５ｎｍとなる。然しながら、前記発光ダイオード３２が発する紫外光の波長６３及びその設定方式には制限はなく、需要に応じて変更可能であり、ボタン４２を押す回数を増やす、ボタン４２の数量を増やす等も可能である。
【００３４】
好ましくは、折り畳み式マニキュア光硬化装置は、前記回路基板４１に電気的に接続されると共に上蓋１０の外に露出される複数のバッテリー状態表示ランプ４５を更に備える。バッテリー状態表示ランプ４５はバッテリー４３の電池残量に基づいてランプを点灯させる。本実施形態では、折り畳み式マニキュア光硬化装置は４つのバッテリー状態表示ランプ４５を更に備え、バッテリー４３の電量が１００％の場合、４つのバッテリー状態表示ランプ４５が全て点灯する。各バッテリー４３の電量が２５％以下となった場合、バッテリー状態表示ランプ４５の点灯するランプの数量が減少する。然しながら、バッテリー状態表示ランプ４５の数量に制限はなく、需要に応じてバッテリー状態表示ランプ４５の数量を増減させ、点灯ランプ数を減らす基準となる百分率を変更してもよい。
【００３５】
本実施形態では、制御モジュール４０は、回路基板４１に設置されると共にバッテリー４３に電気的に接続されるタイマー（図示せず）を更に備える。使用者がボタン４２を押すと、タイマーが設定秒数に基づいてカウントダウンを開始する。カウントダウンが終わると、タイマーが前記発光ダイオード３２に対するバッテリー４３の給電を切断させ、折り畳み式マニキュア光硬化装置を停止させる。。
【００３６】
本実施形態では、制御モジュール４０は、回路基板４１に設置されると共に上蓋１０の外に露出される充電コネクター４６を更に備え、充電コネクター４６は前記バッテリー４３に電気的に接続される。バッテリー４３内の電量が使い終わった場合、充電コネクター４６を介して外部電源に接続することで、折り畳み式マニキュア光硬化装置に対する充電が行われる。
【００３７】
図７は本考案の第１実施形態に係る折り畳み式マニキュア光硬化装置を示す使用の概略図である。図に示されるように、本実施形態では、制御モジュール４０はＵＳＢポート４４を更に備える。ＵＳＢポート４４は回路基板４１に電気的に接続されると共に上蓋１０の外に露出される。使用者はＵＳＢポート４４を介してＵＳＢデバイスに接続させ、作業を行えるようになる。
【００３８】
本実施形態では、ＵＳＢポート４４はＵＳＢテーブルランプ８０に接続されるが、然しながら、接続可能な装置に制限はなく、需要に応じてＵＳＢネイルドリルに接続されたり、ＵＳＢコネクタに接続されて電子装置に充電を行う等も可能である。
【００３９】
図８は本考案の第２実施形態に係る折り畳み式マニキュア光硬化装置を示す斜視の展開図である。
【００４０】
図８に示されるように、本考案の第２実施形態において、折り畳み式マニキュア光硬化装置はバッテリーボックス蓋７０を更に備える。上蓋１０はバッテリーボックス１１を有し、バッテリー４３はバッテリーボックス１１中に取り外し可能に設置され、バッテリーボックス蓋７０はバッテリーボックス１１の開口部に取り外し可能に設置されるようにバッテリーボックス１１に蓋をする。
【００４１】
以上を総合すると、上蓋１０と下蓋２０とが枢着されることにより、本考案の折り畳み式マニキュア光硬化装置の構造が簡単になり、高速な展開及び折り畳み機能を達成させる。
【００４２】
さらに、折り畳み機能により、本考案の折り畳み式マニキュア光硬化装置の体積が小さくなり、携帯及び収納を便利にする目的を達成させる。
【００４３】
以上、本考案の実施形態について図面を参照して詳述したが、具体的な構成はこの実施形態に限られるものではなく、本考案の要旨を逸脱しない範囲の設計変更等も含まれる。
【符号の説明】
【００４４】
１０  上蓋
１１  バッテリーボックス
１２  貫通孔
１３  内側面
１４  孔部
２０  下蓋
２１  第一ピボット穴
２２  第二ピボット穴
２３  内側面
２４  孔部
３０  発光ダイオードモジュール
３１  基板
３２  発光ダイオード
４０  制御モジュール
４１  回路基板
４２  ボタン
４３  バッテリー
４４  ＵＳＢポート
４５  バッテリー状態表示ランプ
４６  充電コネクター
５０  ピボット
５１  ピボット
６０  表示パネル
６１  カウンター数
６２  強度
６３  波長
７０  バッテリーボックス蓋
８０  ＵＳＢテーブルランプ 
【図１】
0003222068.tif 000003
【図２】
0003222068.tif 000004
【図３】
0003222068.tif 000005
【図４】
0003222068.tif 000006
【図５】
0003222068.tif 000007
【図６】
0003222068.tif 000008
【図７】
0003222068.tif 000009
【図８】
0003222068.tif 000010